(57)【要約】【課題】  ＡＣ規制中における緊急呼の呼び返し着信の問題を解決可能な携帯電話装置を提供する。【解決手段】  携帯電話装置はＡＣ規制中に緊急呼び出し機関へ発信動作を実施した後に緊急呼の通話を切断すると、ステップＳ３にて緊急呼び出し機関からの呼び返し着信であるページング信号を受信すると、ステップＳ４にてネットワークから事前に取得している報知情報によってＭＣＣを参照し、自装置の使用者がいる国が緊急呼の呼び返し着信の制度がある国であるかどうかを確認する。携帯電話装置はＭＣＣが緊急呼の呼び返し着信の制度がある国であることを示していれば、ステップＳ５にてページング信号に反応して着信動作を実施し、ＭＣＣが緊急呼の呼び返し着信の制度がない国であることを示していれば、ステップＳ６にてページング信号に反応した着信動作を実施しない。【選択図】      図２
2008092385.tif 000002
【特許請求の範囲】
【請求項１】
ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）内のＡＣ（Ａｃｃｅｓｓ  Ｃｌａｓｓ）毎に発着信動作を規制するＡＣ規制が実施される携帯電話装置であって、
前記ＡＣ規制の実施中に、緊急呼び出し機関との通話が自装置側から切断された後の一定期間内に前記緊急呼び出し機関から再度呼び出す緊急呼び返しの着信動作を実施するか／実施しないかを切換える手段を有することを特徴とする携帯電話装置。
【請求項２】
前記ＡＣ規制中の前記緊急呼び返しの着信動作の実施有無を基地局からの報知情報内のＭＣＣ（Ｍｏｂｉｌｅ  Ｃｏｕｎｔｒｙ  Ｃｏｄｅ）を参照して判断することを特徴とする請求項１記載の携帯電話装置。
【請求項３】
前記ＭＣＣを参照して前記緊急呼呼び返しの着信の制度がある国での使用であれば前記ＡＣ規制中の前記緊急呼び返しの着信動作を実施しかつ前記緊急呼呼び返しの着信の制度がない国での使用であれば前記ＡＣ規制中の前記緊急呼び返しの着信動作を抑止することを特徴とする請求項２記載の携帯電話装置。
【請求項４】
前記ＭＣＣによって緊急呼呼び返しの着信の制度がある国での使用である時にＭＮＣ（Ｍｏｂｉｌｅ  Ｎｅｔｗｏｒｋ  Ｃｏｄｅ）を参照して前記緊急呼の呼び返し着信に未対応の携帯電話事業者であることが検出された場合に前記ＡＣ規制中の前記緊急呼び返しの着信動作を抑止することを特徴とする請求項２記載の携帯電話装置。
【請求項５】
前記ＡＣ規制中の前記緊急呼び返しの着信動作の実施有無を前記緊急呼を終話してから予め設定された一定期間が経過したか否かに応じて判断することを特徴とする請求項１または請求項２記載の携帯電話装置。
【請求項６】
ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）内のＡＣ（Ａｃｃｅｓｓ  Ｃｌａｓｓ）毎に発着信動作を規制するＡＣ規制が実施される携帯電話装置に用いる緊急呼呼び返し着信動作方法であって、
前記携帯電話装置が、前記ＡＣ規制の実施中に、緊急呼び出し機関との通話が自装置側から切断された後の一定期間内に前記緊急呼び出し機関から再度呼び出す緊急呼び返しの着信動作を実施するか／実施しないかを切換える処理を実行することを特徴とする緊急呼呼び返し着信動作方法。
【請求項７】
前記ＡＣ規制中の前記緊急呼び返しの着信動作の実施有無を基地局からの報知情報内のＭＣＣ（Ｍｏｂｉｌｅ  Ｃｏｕｎｔｒｙ  Ｃｏｄｅ）を参照して判断することを特徴とする請求項６記載の緊急呼呼び返し着信動作方法。
【請求項８】
前記ＭＣＣを参照して前記緊急呼呼び返しの着信の制度がある国での使用であれば前記ＡＣ規制中の前記緊急呼び返しの着信動作を実施しかつ前記緊急呼呼び返しの着信の制度がない国での使用であれば前記ＡＣ規制中の前記緊急呼び返しの着信動作を抑止することを特徴とする請求項７記載の緊急呼呼び返し着信動作方法。
【請求項９】
前記ＭＣＣによって緊急呼呼び返しの着信の制度がある国での使用である時にＭＮＣ（Ｍｏｂｉｌｅ  Ｎｅｔｗｏｒｋ  Ｃｏｄｅ）を参照して前記緊急呼の呼び返し着信に未対応の携帯電話事業者であることが検出された場合に前記ＡＣ規制中の前記緊急呼び返しの着信動作を抑止することを特徴とする請求項７記載の緊急呼呼び返し着信動作方法。
【請求項１０】
前記ＡＣ規制中の前記緊急呼び返しの着信動作の実施有無を前記緊急呼を終話してから予め設定された一定期間が経過したか否かに応じて判断することを特徴とする請求項６または請求項７記載の緊急呼呼び返し着信動作方法。
【請求項１１】
ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）内のＡＣ（Ａｃｃｅｓｓ  Ｃｌａｓｓ）毎に発着信動作を規制するＡＣ規制が実施される携帯電話装置が実行するプログラムであって、
前記携帯電話装置の中央処理装置に、前記ＡＣ規制の実施中に、緊急呼び出し機関との通話が自装置側から切断された後の一定期間内に前記緊急呼び出し機関から再度呼び出す緊急呼び返しの着信動作を実施するか／実施しないかを切換える処理を実行させるためのプログラム。
【発明の詳細な説明】
【技術分野】
【０００１】
本発明は携帯電話装置及びそれに用いる緊急呼呼び返し着信動作方法並びにそのプログラムに関し、特に警察署や消防署等の緊急呼出し機関からの呼び返しに対する着信動作に関する。
【背景技術】
【０００２】
従来、携帯電話装置においては、緊急事態の発生によって上記の警察署や消防署等の緊急呼出し機関に対して発信を行って通話した後、その発信者や所在場所の確認のために、その緊急呼出し機関から発信者に対して折り返し電話連絡を行う、いわゆる呼び返しが行われることがある（例えば、特許文献１参照）。
【０００３】
また、携帯電話装置においては、その装置のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）内に、「０」〜「９」のＡＣ（Ａｃｃｅｓｓ  Ｃｌａｓｓ）が割り振られており、ある基地局での負荷が増大し、処理が溢れてしまうような場合に、ネットワーク側にて、そのＡＣ毎に携帯電話装置の発着信動作に規制をかけるＡＣ規制を行うことができる。
【０００４】
ネットワークからＡＣ規制がかけられた携帯電話装置では、そのＡＣ規制が解除されるまで、緊急呼の発信動作を除き、全ての発信及び着信動作が不可となる。その際、緊急呼の呼び返し着信の取り扱いが問題となる。
【０００５】
緊急呼の呼び返し着信とは、緊急呼び出し機関との通話が携帯電話装置側から切断された場合に、通話切断後の一定期間内に緊急呼び出し機関から、その通話の発信者や所在場所等を確認するため、再度、発信者を呼び出すことができる機能のことである。
【０００６】
この緊急呼の呼び返し着信の動作を図６に示す。以下、図６を参照して従来の携帯電話装置における緊急呼の呼び返し着信の動作について説明する。
【０００７】
まず、携帯電話装置では、ＡＣ規制中に緊急呼び出し機関へ発信動作を実施し（図６ステップＳ４１）、その緊急呼の通話を切断する終話動作を実施する（図６ステップＳ４２）。
【０００８】
その後、携帯電話装置では、緊急呼び出し機関からの呼び返し着信であるページング信号を受信すると（図６ステップＳ４３）、自装置がＡＣ規制中でもページングに反応する仕様であれば（図６ステップＳ４４）、ページング信号に反応して着信動作を実施する（図６ステップＳ４５）。
【０００９】
一方、携帯電話装置では、自装置がＡＣ規制中のページングに反応しない仕様であれば（図６ステップＳ４４）、ページング信号に反応せず、着信動作を実施しない（図６ステップＳ４６）。
【００１０】
【特許文献１】特開２００５−０２６８０３号公報
【発明の開示】
【発明が解決しようとする課題】
【００１１】
上述した従来の携帯電話装置では、ＡＣ規制中に発生する緊急呼の呼び返し着信に関して以下のような問題がある。
【００１２】
携帯電話装置では、緊急呼の呼び返し着信に対応すべくＡＣ規制中でもページング（Ｐａｇｉｎｇ）に反応して着信可能とした場合、緊急呼の呼び返し着信の制度がない国において、ＡＣ規制中にも関わらず、着信してしまうといった問題が発生してしまう。日本のような緊急呼の呼び返し着信の制度がある国においては、ＡＣ規制中、ネットワーク側で緊急呼の呼び返し着信以外の一般電話からの着信に規制をかけ、ページング信号を送信せず、緊急呼の呼び返し着信のページング信号のみ、携帯電話装置に送信するようにネットワークにて振り分け処理を実施しているため、問題とはならない。
【００１３】
逆に、携帯電話装置では、ＡＣ規制中、ページングに反応せず、着信動作をしない場合、日本のような緊急呼の呼び返し着信の制度がある国において、緊急呼の呼び返し着信のページングにも反応せず、呼び返し着信ができないといった問題が発生してしまう。
【００１４】
つまり、３ＧＰＰ（３ｒｄ  Ｇｅｎｅｒａｔｉｏｎ  Ｐａｒｔｎｅｒｓｈｉｐ  Ｐｒｏｊｅｃｔｓ）の規定に準拠した携帯電話装置がＡＣ規制状態である場合には、緊急呼の発信動作を除く、如何なる発信／着信動作をも実施することができず、そのため、緊急呼の呼び返し着信に反応しないといった問題が発生している。
【００１５】
また逆に、緊急呼の呼び返し着信に反応するためＡＣ規制中であっても着信動作を可能とした場合には、ネットワーク側がＡＣ規制中に一般電話からの着信を報告するページング信号の送信を規制している場合を除き、ＡＣ規制中であるにも関わらず、一般電話からのページング信号にも反応してしまい、着信動作を実施してしまうといった問題が発生している。
【００１６】
特に、緊急呼の呼び返し着信の制度がない国では、ネットワーク側で緊急呼の呼び返し着信のためのページング信号のみを送信し、一般電話からの着信を報告するページング信号に規制をかけて送信しないといった動作を実施しないため、ＡＣ規制中にも関わらず、一般電話のページング信号に反応して着信動作を実施してしまう問題が発生している。
【００１７】
そこで、本発明の目的は上記の問題点を解消し、ＡＣ規制中における緊急呼の呼び返し着信の問題を解決することができる携帯電話装置及びそれに用いる緊急呼呼び返し着信動作方法並びにそのプログラムを提供することにある。
【課題を解決するための手段】
【００１８】
本発明による携帯電話装置は、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）内のＡＣ（Ａｃｃｅｓｓ  Ｃｌａｓｓ）毎に発着信動作を規制するＡＣ規制が実施される携帯電話装置であって、
前記ＡＣ規制の実施中に、緊急呼び出し機関との通話が自装置側から切断された後の一定期間内に前記緊急呼び出し機関から再度呼び出す緊急呼び返しの着信動作を実施するか／実施しないかを切換える手段を備えている。
【００１９】
本発明による緊急呼呼び返し着信動作方法は、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）内のＡＣ（Ａｃｃｅｓｓ  Ｃｌａｓｓ）毎に発着信動作を規制するＡＣ規制が実施される携帯電話装置に用いる緊急呼呼び返し着信動作方法であって、
前記携帯電話装置が、前記ＡＣ規制の実施中に、緊急呼び出し機関との通話が自装置側から切断された後の一定期間内に前記緊急呼び出し機関から再度呼び出す緊急呼び返しの着信動作を実施するか／実施しないかを切換える処理を実行している。
【００２０】
本発明によるプログラムは、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）内のＡＣ（Ａｃｃｅｓｓ  Ｃｌａｓｓ）毎に発着信動作を規制するＡＣ規制が実施される携帯電話装置が実行するプログラムであって、
前記携帯電話装置の中央処理装置に、前記ＡＣ規制の実施中に、緊急呼び出し機関との通話が自装置側から切断された後の一定期間内に前記緊急呼び出し機関から再度呼び出す緊急呼び返しの着信動作を実施するか／実施しないかを切換える処理を実行させている。
【００２１】
すなわち、本発明の携帯電話装置は、ネットワークから送信されている報知情報内のＭＣＣ（Ｍｏｂｉｌｅ  Ｃｏｕｎｔｒｙ  Ｃｏｄｅ）を参照し、緊急呼の呼び返し着信の制度がある国での使用であれば、ＡＣ（Ａｃｃｅｓｓ  Ｃｌａｓｓ）規制中であっても着信動作を実施し、緊急呼の呼び返し着信の制度がない国での使用であれば、ＡＣ規制中に着信動作を実施しないことで、ＡＣ規制中における緊急呼の呼び返し着信の問題を解決可能としている。
【００２２】
つまり、本発明の携帯電話装置では、自装置の使用者がいる国によって、ＡＣ規制中の着信動作を実施する／実施しないを切替えることで、緊急呼の呼び返し着信の制度がある国において、ＡＣ規制中であっても受信したページング（Ｐａｇｉｎｇ）信号に反応して緊急呼の呼び返し着信に対応することを可能とし、緊急呼の呼び返し着信の制度がない国において、ＡＣ規制中であれば受信したページング信号に反応せずに３ＧＰＰ（３ｒｄ  Ｇｅｎｅｒａｔｉｏｎ  Ｐａｒｔｎｅｒｓｈｉｐ  Ｐｒｏｊｅｃｔｓ）のＡＣ規制の規定に準拠可能としている。
【００２３】
ここで、ＡＣ規制とは、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）内のＡＣ（「０」〜「９」）毎に携帯電話装置の発着信動作に規制をかけることであり、緊急呼の呼び返し着信とは、緊急呼び出し機関との通話が携帯電話装置側から切断された場合に、通話切断後の一定期間内に緊急呼び出し機関から、その通話の発信者や所在場所等を確認するため、再度、発信者を呼び出す際のその呼び出しに対する着信のことである。
【００２４】
本発明の第１の携帯電話装置では、ネットワークから受信した報知情報内のＭＣＣを参照し、自装置の使用者がいる国が、緊急呼の呼び返し着信の制度がある国なのかどうかを確認し、緊急呼の呼び返し着信の制度がある国の場合に、ＡＣ規制中であっても、自装置に着信がある旨を報告するページング信号を受信した際に着信動作を実施し、緊急呼の呼び返し着信の制度がない国の場合に、ＡＣ規制中にページング信号を受信した際に着信動作を実施しないように制御している。
【００２５】
本発明の第２の携帯電話装置では、ＭＣＣだけでなく、ＭＮＣ（Ｍｏｂｉｌｅ  Ｎｅｔｗｏｒｋ  Ｃｏｄｅ）をも参照し、例えＭＣＣによって緊急呼の呼び返し着信の制度がある国であることが検出されても、ＭＮＣによって緊急呼の呼び返し着信に対応していないキャリアであることが検出された場合に、受信したページング信号に反応せずに着信動作を実施しないように制御している。
【００２６】
上述した本発明の第１の携帯電話装置では、報知情報内のＭＣＣのみを参照し、所在場所における緊急呼の呼び返し着信の制度の有無に応じてＡＣ規制中のページング信号に基づいて着信動作の実施の有無を制御しているが、緊急呼の呼び返し着信の制度がある国であっても、キャリアによっては緊急呼の呼び返し着信の制度に対応しておらず、ＡＣ規制中に緊急呼の呼び返し着信のページングのみ基地局から携帯電話装置に送信するのではなく、一般通話を含む全ての接続要求に対して、ＡＣ規制中の携帯電話装置に着信を報告するページング信号を送信していることも考えられる。
【００２７】
そこで、本発明の第２の携帯電話装置では、ＭＮＣによって緊急呼の呼び返し着信に対応しているキャリアであることが検出された場合に、受信したページング信号に反応して着信動作を実施するように制御している。
【００２８】
本発明の第３の携帯電話装置では、緊急呼び出し機関に発信し、その通話を終話した後の呼び返し着信が想定され得る一定期間（予め設定された一定期間）内にページング信号を受信した場合に、そのページング信号に反応して着信動作を実施し、上記の一定期間が過ぎた後にページング信号を受信した場合に、そのページング信号に反応せずに着信動作を実施しないように制御している。
【００２９】
上述した本発明の第１及び第２の携帯電話装置では、ＭＣＣやＭＮＣを参照してＡＣ規制中に受信したページング信号に反応して着信動作を実施するかしないかの動作を振り分けているが、本発明の第３の携帯電話装置では、緊急呼び出し機関への発信通話の終話後に呼び返し着信が想定され得る一定期間内にページング信号を受信した場合に、そのページング信号に反応して着信動作を実施しているので、ＭＣＣやＭＮＣの参照処理が不要となる。
【００３０】
上述した本発明の第１〜第３の携帯電話装置における呼び返し着信動作方法は、相互に適用することも可能であり、これらの方法を組み合わせることによって、それぞれ単独の場合と比較して、発生する問題を減少させることが可能となる。
【発明の効果】
【００３１】
本発明は、上記のような構成及び動作とすることで、ＡＣ規制中における緊急呼の呼び返し着信の問題を解決することができるという効果が得られる。
【発明を実施するための最良の形態】
【００３２】
次に、本発明の実施例について図面を参照して説明する。
【実施例１】
【００３３】
図１は本発明の第１の実施例による携帯電話装置の構成を示すブロック図である。図１において、携帯電話装置１は、図示せぬ基地局との間の無線通信を行うためのアンテナ１１及び無線部１２と、装置内の各部を制御する制御部（ＣＰＵ：中央処理装置）１３と、各種キーを備えたキー操作部１４と、制御部１３で実行するプログラム及びそのプログラム実行時に使用するデータ等を格納するメモリ１５と、テキストや画像等を表示するための表示制御部１６及び表示部１７と、音声や着信音等の入出力を行うための音声制御部１８、スピーカ１９、マイク２０とから構成されている。これら携帯電話装置１内の各部の動作は、従来の携帯電話装置と同等であるので、その説明は省略する。
【００３４】
図２は本発明の第１の実施例による携帯電話装置１のＡＣ（Ｍｏｂｉｌｅ  Ｃｏｕｎｔｒｙ  Ｃｏｄｅ）規制中の緊急呼の呼び返し着信動作を示すフローチャートである。これら図１及び図２を参照して本発明の第１の実施例による携帯電話装置１のＡＣ規制中の緊急呼の呼び返し着信動作について説明する。尚、図２に示す処理は制御部１３がメモリ１５のプログラムを実行することで実現可能である。
【００３５】
ここで、ＡＣ規制とは、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）内のＡＣ（「０」〜「９」）毎に携帯電話装置の発着信動作に規制をかけることであり、緊急呼の呼び返し着信とは、緊急呼び出し機関との通話が携帯電話装置側から切断された場合に、通話切断後の一定期間内に緊急呼び出し機関から、その通話の発信者や所在場所等を確認するため、再度、発信者を呼び出す際のその呼び出しに対する着信のことである。
【００３６】
まず、携帯電話装置１はＡＣ規制中に緊急呼び出し機関へ発信動作を実施した後に（図２ステップＳ１）、その緊急呼の通話を切断する終話動作を実施する（図２ステップＳ２）。
【００３７】
その後、携帯電話装置１は緊急呼び出し機関からの呼び返し着信であるページング（Ｐａｇｉｎｇ）信号を受信すると（図２ステップＳ３）、ネットワークから事前に取得している報知情報によってＭＣＣ（Ｍｏｂｉｌｅ  Ｃｏｕｎｔｒｙ  Ｃｏｄｅ）を参照し、自装置の使用者がいる国が緊急呼の呼び返し着信の制度がある国であるかどうかを確認する（図２ステップＳ４）。
【００３８】
携帯電話装置１は受信していたＭＣＣが緊急呼の呼び返し着信の制度がある国であることを示していれば、上記のページング信号に反応して着信動作を実施し（図２ステップＳ５）、受信していたＭＣＣが緊急呼の呼び返し着信の制度がない国であることを示していれば、上記のページング信号に反応した着信動作を実施しない（図２ステップＳ６）。
【００３９】
このように、本実施例では、報知情報内のＭＣＣを参照して携帯電話装置１の使用者がいる国が緊急呼の呼び返し着信の制度がある国かどうかを確認してＡＣ規制中のページング信号に反応した着信動作の実施の有無を判別することによって、ＡＣ規制中における緊急呼の呼び返し着信の従来の問題を解決することができる。
【００４０】
つまり、本実施例では、緊急呼の呼び返し着信の制度がある国において、ＡＣ規制中であっても、受信したページング信号に反応して緊急呼の呼び返し着信に対応することができ、緊急呼の呼び返し着信の制度がない国において、ＡＣ規制中であれば受信したページング信号に反応せず、３ＧＰＰ（３ｒｄ  Ｇｅｎｅｒａｔｉｏｎ  Ｐａｒｔｎｅｒｓｈｉｐ  Ｐｒｏｊｅｃｔｓ）のＡＣ規制の規定に準拠させることができる。
【実施例２】
【００４１】
図３は本発明の第２の実施例による携帯電話装置のＡＣ規制中の緊急呼の呼び返し着信動作を示すフローチャートである。本発明の第２の実施例による携帯電話装置は上記の図１に示す本発明の第１の実施例による携帯電話装置１と同様の構成であるので、図１及び図３を参照して本発明の第２の実施例による携帯電話装置のＡＣ規制中の緊急呼の呼び返し着信動作について説明する。尚、図３に示す処理は制御部１３がメモリ１５のプログラムを実行することで実現可能である。
【００４２】
まず、携帯電話装置１はＡＣ規制中に緊急呼び出し機関へ発信動作を実施した後に（図３ステップＳ１１）、その緊急呼の通話を切断する終話動作を実施する（図３ステップＳ１２）。
【００４３】
その後、携帯電話装置１は緊急呼び出し機関からの呼び返し着信であるページング信号を受信すると（図３ステップＳ１３）、ネットワークから事前に取得している報知情報によってＭＣＣを参照し、自装置の使用者がいる国が緊急呼の呼び返し着信の制度がある国であるかどうかを確認する（図３ステップＳ１４）。
【００４４】
携帯電話装置１は受信していたＭＣＣが緊急呼の呼び返し着信の制度がある国であれば、さらにＭＮＣ（Ｍｏｂｉｌｅ  Ｎｅｔｗｏｒｋ  Ｃｏｄｅ）をも参照し、例えＭＣＣによって緊急呼の呼び返し着信の制度がある国であることが検出されても、ＭＮＣが緊急呼の呼び返し着信に対応するキャリアであるかを確認する（図３ステップＳ１５）。
【００４５】
携帯電話装置１はＭＮＣが緊急呼の呼び返し着信に対応するキャリアであることを示していれば、上記のページング信号に反応して着信動作を実施し（図３ステップＳ１６）、受信していたＭＣＣが緊急呼の呼び返し着信の制度がない国であることをしめしているか、あるいはＭＮＣが緊急呼の呼び返し着信に対応するキャリアでないことを示していれば、上記のページング信号に反応した着信動作を実施しない（図３ステップＳ１７）。
【００４６】
上述した本発明の第１の実施例では、報知情報内のＭＣＣのみを参照し、緊急呼の呼び返し着信の制度がある国において、例えＡＣ規制中であっても受信したページング信号に反応した着信動作を実施しているが、緊急呼の呼び返し着信の制度がある国であっても、キャリアによっては緊急呼の呼び返し着信の制度に対応しておらず、ＡＣ規制中に緊急呼の呼び返し着信のページングのみ基地局より携帯電話装置１に送信するのではなく、一般通話を含む全ての接続要求に対して、ＡＣ規制中の携帯電話装置１に着信を報告するページング信号を送信していることも考えられる。
【００４７】
そこで、本実施例では、ＭＣＣだけでなく、ＭＮＣをも参照し、例えＭＣＣが緊急呼の呼び返し着信の制度がある国であることを示していても、ＭＮＣが緊急呼の呼び返し着信に対応していないキャリアであることを示している場合に、受信したページング信号に反応せずに、着信動作を実施しないようにしている。本実施例では、ＭＮＣが緊急呼の呼び返し着信に対応しているキャリアであることを示している場合に、受信したページング信号に反応した着信動作を実施しているので、上記の本発明の第１の実施例と同様に、ＡＣ規制中における緊急呼の呼び返し着信の従来の問題を解決することができる。
【実施例３】
【００４８】
図４は本発明の第３の実施例による携帯電話装置のＡＣ規制中の緊急呼の呼び返し着信動作を示すフローチャートである。本発明の第３の実施例による携帯電話装置は上記の図１に示す本発明の第１の実施例による携帯電話装置１と同様の構成であるので、図１及び図４を参照して本発明の第３の実施例による携帯電話装置のＡＣ規制中の緊急呼の呼び返し着信動作について説明する。尚、図４に示す処理は制御部１３がメモリ１５のプログラムを実行することで実現可能である。
【００４９】
まず、携帯電話装置１はＡＣ規制中に緊急呼び出し機関へ発信動作を実施し（図４ステップＳ２１）、その緊急呼の通話を携帯電話装置１から切断する終話動作を実施する（図４ステップＳ２２）。携帯電話装置１はその切断動作をトリガとして、緊急呼の切断から呼び返し着信が想定される一定期間（予め設定された一定期間）が設定されている緊急呼の呼び返しタイマを開始する（図４ステップＳ２３）。
【００５０】
その後、携帯電話装置１は緊急呼び出し機関からの呼び返し着信であるページング信号を受信するが（図４ステップＳ２４）、緊急呼の呼び返しタイマがタイムアウト（満了）前である場合（図４ステップＳ２５）、上記のページング信号に反応して着信動作を実施する（図４ステップＳ２６）。
【００５１】
携帯電話装置１は緊急呼の呼び返しタイマがタイムアウト（満了）後である場合（図４ステップＳ２５）、上記のページング信号に反応せず、着信動作を実施しない（図４ステップＳ２７）。
【００５２】
上述した本発明の第１及び第２の実施例では、ＭＣＣやＭＮＣを参照してＡＣ規制中に受信したページング信号に反応した着信動作を実施するかしないかの動作を振り分けているが、緊急呼び出し機関に発信し、その通話を終話した後の呼び返し着信が想定され得る一定期間内にページング信号を受信した場合に、そのページング信号に反応した着信動作を実施し、一定期間が過ぎた後にページング信号を受信した場合に、そのページング信号に反応せず、着信動作を実施しないようにしているので、上記の本発明の第１の実施例と同様に、ＡＣ規制中における緊急呼の呼び返し着信の従来の問題を解決することができる。但し、この場合には、ＭＣＣやＭＮＣの参照処理が不要となる。
【実施例４】
【００５３】
図５は本発明の第４の実施例による携帯電話装置のＡＣ規制中の緊急呼の呼び返し着信動作を示すフローチャートである。本発明の第４の実施例による携帯電話装置は上記の図１に示す本発明の第１の実施例による携帯電話装置１と同様の構成であるので、図１及び図５を参照して本発明の第４の実施例による携帯電話装置のＡＣ規制中の緊急呼の呼び返し着信動作について説明する。尚、図５に示す処理は制御部１３がメモリ１５のプログラムを実行することで実現可能である。
【００５４】
まず、携帯電話装置１はＡＣ規制中に緊急呼び出し機関へ発信動作を実施し（図５ステップＳ３１）、緊急呼の通話を携帯電話装置１から切断する終話動作を実施する（図５ステップＳ３２）。携帯電話装置１はその切断動作をトリガとして、緊急呼の切断から呼び返し着信が想定される一定期間（予め設定された一定時間）が設定されている緊急呼の呼び返しタイマを開始する（図５ステップＳ３３）。
【００５５】
その後、携帯電話装置１は緊急呼び出し機関からの呼び返し着信であるページング信号を受信するが（図５ステップＳ３４）、緊急呼の呼び返しタイマがタイムアウト（満了）後である場合（図５ステップＳ３５）、上記のページング信号に反応せず、着信動作を実施しない（図５ステップＳ３８）。
【００５６】
携帯電話装置１は緊急呼の呼び返しタイマがタイムアウト（満了）前である場合（図５ステップＳ３５）、ネットワークから事前に取得している報知情報からＭＣＣを参照し、自装置の使用者がいる国が緊急呼の呼び返し着信の制度がある国であるかどうかを確認する（図５ステップＳ３６）。
【００５７】
携帯電話装置１は受信していたＭＣＣが緊急呼の呼び返し着信の制度がない国であることを示していれば、上記のページング信号に反応せず、着信動作を実施しない（図５ステップＳ３８）。また、携帯電話装置１は受信していたＭＣＣが緊急呼の呼び返し着信の制度がある国であることを示していれば、上記のページング信号に反応して着信動作を実施する（図５ステップＳ３７）。
【００５８】
このように、本実施例では、本発明の第１の実施例によるＭＣＣを参照する方法と、本発明の第３の実施例によるタイマ監視を行う方法とを組み合わせているので、上記の本発明の第１の実施例と同様に、ＡＣ規制中における緊急呼の呼び返し着信の従来の問題を解決することができるとともに、それらの方法がそれぞれ単独の場合と比較して、発生する問題を減少させることが可能となる。
【００５９】
本発明の第１の実施例によるＭＣＣを参照する方法では、緊急呼の呼び返し着信の制度がある国において、ＡＣ規制中であっても、ネットワーク側で一般電話からのページング信号をも送信してしまう場合、ＡＣ規制中であるにも関わらず着信動作をしてしまうといった問題が発生してしまう。しかしながら、本発明の第３の実施例によるタイマ監視を行う方法を組み合わせることによって、例え一般電話からのページング信号を受信したとしても、緊急呼の呼び返しタイマが満了していれば、ページング信号には反応せず、着信動作を実施しなくなる。
【００６０】
また、本発明の第３の実施例によるタイマ監視を行う方法では、緊急呼の呼び返しタイマが満了する前に一般電話からのページング信号を受信した場合には、緊急呼の呼び返し着信の制度のあるなしにかかわらず、着信動作を実施してしまう。しかしながら、本発明の第１の実施例によるＭＣＣを参照する方法と組み合わせることによって、緊急呼の呼び返し着信の制度がない国でも、緊急呼の呼び返しタイマが満了する前であってもページング信号に反応せず、着信動作を実施しなくなる。
【００６１】
尚、上述した本発明の第１〜第４の実施例によるＡＣ規制中の緊急呼の呼び返し着信動作は、相互に適用可能であり、上述した実施例に限定されない。
【図面の簡単な説明】
【００６２】
【図１】本発明の第１の実施例による携帯電話装置の構成を示すブロック図である。
【図２】本発明の第１の実施例による携帯電話装置のＡＣ規制中の緊急呼の呼び返し着信動作を示すフローチャートである。
【図３】本発明の第２の実施例による携帯電話装置のＡＣ規制中の緊急呼の呼び返し着信動作を示すフローチャートである。
【図４】本発明の第３の実施例による携帯電話装置のＡＣ規制中の緊急呼の呼び返し着信動作を示すフローチャートである。
【図５】本発明の第４の実施例による携帯電話装置のＡＣ規制中の緊急呼の呼び返し着信動作を示すフローチャートである。
【図６】従来例による携帯電話装置のＡＣ規制中の緊急呼の呼び返し着信動作を示すフローチャートである。
【符号の説明】
【００６３】
１  携帯電話装置
１１  アンテナ
１２  無線部
１３  制御部
１４  キー操作部
１５  メモリ
１６  表示制御部
１７  表示部
１８  音声制御部
１９  スピーカ
２０  マイク
【図１】
2008092385.tif 000003
【図２】
2008092385.tif 000004
【図３】
2008092385.tif 000005
【図４】
2008092385.tif 000006
【図５】
2008092385.tif 000007
【図６】
2008092385.tif 000008